(57)【要約】【課題】外国籍の患者に対応する音声ガイダンスをその患者が理解できる言語を用いて容易にしかも確実に行うことができ、検査作業の効率化を図ることができる音声ガイダンス管理サーバおよび医用画像診断装置を提供する。【解決手段】音声ガイダンス管理サーバ１０Ａは、予め検査手法と検査手法に対応した音声ガイダンスを複数の言語ごとに保管する検査・音声ガイダンス対応保管部１３と、予約検査サーバから登録済みの患者の検査手法と患者の言語情報を有する検査情報を取得する検査情報取得部１１と、検査情報取得部１１から患者の検査手法と患者の言語情報を取得し、検査・音声ガイダンス対応保管部１３から検査手法と患者の言語に対応する音声ガイダンスを取得して、検査・音声ガイダンス情報Ｖ１として医用画像診断装置１００に通知する検査情報制御部１２とを備える。【選択図】図３
2011022740.tif 000002
【特許請求の範囲】
【請求項１】
予め検査手法と前記検査手法に対応した音声ガイダンスを複数の言語ごとに保管する検査・音声ガイダンス対応保管部と、
予約検査サーバから登録済みの患者の検査手法と前記患者の言語情報を有する検査情報を取得する検査情報取得部と、
前記検査情報取得部から前記患者の前記検査手法と前記患者の言語情報を取得し、前記検査・音声ガイダンス対応保管部から前記検査手法と前記患者の言語に対応する前記音声ガイダンスを取得して、検査・音声ガイダンス情報として医用画像診断装置に通知する検査情報制御部と、
を備えることを特徴とする音声ガイダンス管理サーバ。
【請求項２】
予め前記検査手法と前記検査手法を実施するのに必要な音声ガイダンスを含む検査手順を保管する検査手法・音声ガイダンス手順保管部をさらに備え、
前記検査情報制御部は、前記検査情報取得部から前記患者の前記検査手法と前記患者の言語情報を取得し、前記検査・音声ガイダンス対応保管部から前記検査手法と前記患者の言語に対応する前記音声ガイダンスを取得し、しかも前記検査手法・音声ガイダンス手順保管部から前記検査手法と前記検査手法を実施するのに必要な音声ガイダンスを含む検査手順を取得して、検査・音声ガイダンス情報として前記医用画像診断装置に通知することを特徴とする請求項１に記載の音声ガイダンス管理サーバ。
【請求項３】
予め検査手法と前記検査手法に対応した音声ガイダンスを複数の言語ごとに保管する検査・音声ガイダンス対応保管部と、
予約検査サーバから登録済みの患者の検査手法と前記患者の言語情報を有する検査情報を取得する検査情報取得部と、
前記検査情報取得部から前記患者の前記検査手法と前記患者の言語情報を取得し、前記検査・音声ガイダンス対応保管部から前記検査手法と前記患者の言語に対応する前記音声ガイダンスを取得して、検査・音声ガイダンス情報として通知する検査情報制御部と、を備える音声ガイダンス管理サーバ
を有することを特徴とする医用画像診断装置。
【請求項４】
前記音声ガイダンス管理サーバは、予め前記検査手法と前記検査手法を実施するのに必要な音声ガイダンスを含む検査手順を保管する検査手法・音声ガイダンス手順保管部をさらに備え、
前記検査情報制御部は、前記検査情報取得部から前記患者の前記検査手法と前記患者の言語情報を取得し、前記検査・音声ガイダンス対応保管部から前記検査手法と前記患者の言語に対応する前記音声ガイダンスを取得し、しかも前記検査手法・音声ガイダンス手順保管部から前記検査手法と前記検査手法を実施するのに必要な音声ガイダンスを含む検査手順を取得して、検査・音声ガイダンス情報として通知することを特徴とする請求項３に記載の医用画像診断装置。
【発明の詳細な説明】
【技術分野】
【０００１】
本発明は、音声ガイダンス管理サーバおよび音声ガイダンス管理サーバを有する医用画像診断装置に関し、特に病院や診療所等において医用画像診断装置により患者を検査する際に音声ガイダンスを行う音声ガイダンス管理サーバおよび医用画像診断装置に関する。
【背景技術】
【０００２】
例えばＸ線ＣＴ（Ｃｏｍｐｕｔｅｄ  Ｔｏｍｏｇｒａｐｈｙ）装置やＭＲＩ（Ｍａｇｎｅｔｉｃ  Ｒｅｓｏｎａｎｃｅ  Ｉｍａｇｉｎｇ）等の病院や診療所等におけるモダリティ（医用画像診断装置あるいは医用装置）は、そのモダリティを据え付ける時の据え付け地に対応する言語の設定を行うことにより、据え付け地向けの音声ガイダンスを検査の際に使用することができる。例えば、Ｘ線ＣＴ装置が日本国内に据え付けられる時には、音声ガイダンスの言語としては日本語が設定され、Ｘ線ＣＴ装置が米国内に据え付けられる時には、音声ガイダンスの言語としては英語が設定される。
【０００３】
モダリティを用いて患者の検査を行う際には、検査を安全にしかも迅速に行うために、患者への注意事項等を現地の言葉で伝達する、いわゆる音声ガイダンスを実施している。これにより、患者に対しては据え付け地ごとの現地言語での音声ガイダンスを行うことができ、患者が検査を受ける際に患者の負担を軽減するとともに、検査の効率化に寄与することができる。
【０００４】
音声を用いる医用装置の例としては、患者の前で使用した言葉を、音声認識によるテキスト変換時にその診察や検査等が行われた場面や状況に応じて適切な言葉に変換して、電子カルテ等に表示させる医療支援装置が提案されている（特許文献１を参照。）、
【先行技術文献】
【特許文献】
【０００５】
【特許文献１】特開２００８―１３６６４６号公報
【発明の概要】
【発明が解決しようとする課題】
【０００６】
ところが、国際グローバル化が進むにつれて、例えば日本国内において例えば英語だけしか話せない外国籍の患者が病院に来て、患者が診察や検査を受けることが増えてきている。このため、必ずしも医用画像診断装置の据え付け時に設定された例えば日本語の音声ガイダンス内容、一例として「息を止めてください」といった日本語の音声ガイダンス内容が、その英語しか話せない外国籍の患者に理解できないことが多くなっている。
【０００７】
音声ガイダンスは対応する複数の言語ごとに用意されているが、医用画像診断装置を現地に据え付ける時には、その据え付ける現地に対応する言語を選択して据え付ける。このために、医用画像診断装置を据え付けた際に選択された言語以外の言語に対する音声ガイダンスを、外国籍の患者に対して使用することができない。
【０００８】
このように、例えば日本語のような現地語を理解できず英語しか話せない外国籍の患者を検査する場合には、据え付け時の日本語の音声ガイダンス内容を理解できないので、担当の医者等の医療従事者がその音声ガイダンス内容を予め日本語から英語に翻訳して外国籍の患者に伝えておく必要がある。そのために、実際の医療検査業務に支障をきたし、外国籍の患者が説明資料（検体検査結果等）を理解できず、検査作業の効率化が阻害されてしまう。このような日本語のような現地語を理解できず英語しか話せない外国籍の患者を検査する場合には、据え付け時の日本語の音声ガイダンス内容を理解できないという問題は、特許文献１の技術では解消できない。
【０００９】
本発明は、上記に鑑みてなされたものであり、その目的は、外国籍の患者に対応する音声ガイダンスをその患者が理解できる言語を用いて容易にしかも確実に行うことができ、検査作業の効率化を図ることができる音声ガイダンス管理サーバおよび医用画像診断装置を提供することである。
【課題を解決するための手段】
【００１０】
請求項１の発明は、音声ガイダンス管理サーバにおいて、予め検査手法と前記検査手法に対応した音声ガイダンスを複数の言語ごとに保管する検査・音声ガイダンス対応保管部と、
予約検査サーバから登録済みの患者の検査手法と前記患者の言語情報を有する検査情報を取得する検査情報取得部と、
前記検査情報取得部から前記患者の前記検査手法と前記患者の言語情報を取得し、前記検査・音声ガイダンス対応保管部から前記検査手法と前記患者の言語に対応する前記音声ガイダンスを取得して、検査・音声ガイダンス情報として医用画像診断装置に通知する検査情報制御部と、
を備えることを特徴とする。これにより、外国籍の患者に対応する音声ガイダンスをその患者が理解できる言語を用いて容易にしかも確実に行うことができ、検査作業の効率化を図ることができる。
【００１１】
請求項２の発明は、音声ガイダンス管理サーバにおいて、予め前記検査手法と前記検査手法を実施するのに必要な音声ガイダンスを含む検査手順を保管する検査手法・音声ガイダンス手順保管部をさらに備え、
前記検査情報制御部は、前記検査情報取得部から前記患者の前記検査手法と前記患者の言語情報を取得し、前記検査・音声ガイダンス対応保管部から前記検査手法と前記患者の言語に対応する前記音声ガイダンスを取得し、しかも前記検査手法・音声ガイダンス手順保管部から前記検査手法と前記検査手法を実施するのに必要な音声ガイダンスを含む検査手順を取得して、検査・音声ガイダンス情報として前記医用画像診断装置に通知することを特徴とする。これにより、外国籍の患者に対応する音声ガイダンスをその患者が理解できる言語を用いて容易にしかも確実に行うことができ、検査作業の効率化を図ることができる。しかも、患者に対して検査手法を実施するのに必要な音声ガイダンスを含む検査手順をもガイダンスできるので、患者が検査手順を理解でき患者に対して検査を受ける時に安心感を与えることができる。
【００１２】
請求項３の発明は、医用画像診断装置において、予め検査手法と前記検査手法に対応した音声ガイダンスを複数の言語ごとに保管する検査・音声ガイダンス対応保管部と、
予約検査サーバから登録済みの患者の検査手法と前記患者の言語情報を有する検査情報を取得する検査情報取得部と、
前記検査情報取得部から前記患者の前記検査手法と前記患者の言語情報を取得し、前記検査・音声ガイダンス対応保管部から前記検査手法と前記患者の言語に対応する前記音声ガイダンスを取得して、検査・音声ガイダンス情報として通知する検査情報制御部と、を備える音声ガイダンス管理サーバを有することを特徴とする。これにより、外国籍の患者に対応する音声ガイダンスをその患者が理解できる言語を用いて容易にしかも確実に行うことができ、検査作業の効率化を図ることができる。
【００１３】
請求項４の発明は、医用画像診断装置において、前記音声ガイダンス管理サーバは、予め前記検査手法と前記検査手法を実施するのに必要な音声ガイダンスを含む検査手順を保管する検査手法・音声ガイダンス手順保管部をさらに備え、
前記検査情報制御部は、前記検査情報取得部から前記患者の前記検査手法と前記患者の言語情報を取得し、前記検査・音声ガイダンス対応保管部から前記検査手法と前記患者の言語に対応する前記音声ガイダンスを取得し、しかも前記検査手法・音声ガイダンス手順保管部から前記検査手法と前記検査手法を実施するのに必要な音声ガイダンスを含む検査手順を取得して、検査・音声ガイダンス情報として通知することを特徴とする。これにより、外国籍の患者に対応する音声ガイダンスをその患者が理解できる言語を用いて容易にしかも確実に行うことができ、検査作業の効率化を図ることができる。しかも、患者に対して検査手法を実施するのに必要な音声ガイダンスを含む検査手順をもガイダンスできるので、患者が検査手順を理解でき患者に対して検査を受ける時に安心感を与えることができる。
【発明の効果】
【００１４】
本発明によれば、外国籍の患者に対応する音声ガイダンスをその患者が理解できる言語を用いて容易にしかも確実に行うことができ、検査作業の効率化を図ることができる音声ガイダンス管理サーバおよび医用画像診断装置を提供することができる。
【図面の簡単な説明】
【００１５】
【図１】本発明の実施形態１における音声ガイダンス管理サーバと、患者・検査情報サーバとモダリティを含む医療画像診断システムを示す図である。
【図２】図１の実施形態１の医療画像診断システムにおける音声ガイダンス管理サーバの動作例を図である。
【図３】本発明の実施形態２を示す図である。
【図４】本発明の実施形態３を示す図である。
【図５】本発明の実施形態４を示す図である。
【発明を実施するための形態】
【００１６】
本発明の実施形態について図面を参照して説明する。
【００１７】
（実施形態１）
図１は、本発明の実施形態１における音声ガイダンス管理サーバと、患者・検査情報サーバとモダリティを含む医用画像診断システムを示している。
【００１８】
図１に示すように、音声ガイダンス管理サーバ１０は、患者・検査情報サーバ１に対して通信ネットワークＮ１により接続されている。患者・検査情報サーバ１は、モダリティ１００に対して通信ネットワークＮ２により接続されている。音声ガイダンス管理サーバ１０は、モダリティ１００に対して通信ネットワークＮ３により接続されている。これらの通信ネットワークＮ１〜Ｎ３は、例えば病院内に構築されたＬＡＮ（Ｌｏｃａｌ  Ａｒｅａ  Ｎｅｔｗｏｒｋ）等のネットワークであり、音声ガイダンス管理サーバ１０と患者・検査情報サーバ１とモダリティ１００は、通信可能に接続されて、医用画像診断に利用されるシステムである。
【００１９】
図１に示す患者・検査情報サーバ１は、検査情報管理部分２を有しており、例えばＲＩＳ（Ｒａｄｉｏｌｏｇｙ  Ｉｎｆｏｒｍａｔｉｏｎ  Ｓｙｓｙｔｅｍ：放射線科情報システム）等の予約検査サーバである。このＲＩＳは、主に放射線機器による検査と治療の予約から検査結果までの管理を行うシステムであり、例えば予約しようとする患者の患者情報や検査情報等の内容は、ＨＩＳ（病院情報システム：Ｈｏｓｐｉｔａｌ  Ｉｎｆｏｒｍａｔｉｏｎ  Ｓｙｓｔｅｍ）の受付端末から入力することで取得できる。
【００２０】
図１に示すモダリティ１００は、医用画像診断装置の例であり。例えばＸ線診断装置、Ｘ線ＣＴ装置、ＭＲＩ装置、核医学診断装置、超音波診断装置等の任意の医用装置であり、特に限定されない。
【００２１】
このＸ線診断装置は、被検体のＸ線画像（レントゲン画像）を撮影する装置である。Ｘ線ＣＴ装置は、被検体の断層像等のＸ線ＣＴ画像を撮影する装置である。ＭＲＩ装置は、被検体の磁気共鳴画像（ＭＲ画像）を撮影する装置である。核医学診断装置は、ＳＰＥＣＴ（Ｓｉｎｇｌｅ  Ｐｈｏｔｏｎ    Ｅｍｉｓｓｉｏｎ  Ｃｏｍｐｕｔｅｄ  Ｔｏｍｏｇｒａｐｈｙ：単光子放出断層撮影法）装置、ＰＥＴ（Ｐｏｓｉｔｉｏｎ  Ｅｍｉｓｓｉｏｎ  Ｔｏｍｏｇｒａｐｈｙ：陽電子放出断層撮影法）装置等である。超音波診断装置は、超音波画像（エコー画像）を撮影する装置である。
【００２２】
図１に示すように、患者・検査情報サーバ１の検査情報管理部分２は、モダリティ１００に対してネットワークＮ２を通じて、予約患者の予約検査情報Ｆを送るようになっている。予約患者の予約検査情報Ｆの内容例としては、例えば外国籍の患者の対応言語が英語であり、検査方法はＭＲＡ（脳血管造影）を含んでいる。
【００２３】
図２は、図１の実施形態１の医用画像診断システムにおける音声ガイダンス管理サーバ１０の動作例を示している。例えば、予約しようとする患者は、受付端末等を用いて、検査情報管理部分２に対して図２に例示するように、患者情報ＭＩと検査情報ＳＩを登録することができる。
【００２４】
図１に示すように、音声ガイダンス管理サーバ１０は、検査情報取得部１１と、検査情報制御部１２と、検査・音声ガイダンス対応保管部１３と、検査手法・音声ガイダンス手順保管部１４を有している。
【００２５】
図１の検査情報取得部１１は、患者・検査情報サーバ１の検査情報管理部分２に対して通信ネットワークＮ１により通信可能に接続されている。検査情報制御部１２は、モダリティ１００に対してネットワークＮ３により通信可能に接続されている。
【００２６】
図１に示す検査情報取得部１１は、患者・検査情報サーバ１の検査情報管理部分２から通信ネットワークＮ１を通じて、予め決められたルール（時刻）ごとの自動的な操作、あるいは操作者の任意の操作によって、登録済みの予約患者の検査手法と患者の言語情報を有する検査情報を取得することができる。
【００２７】
検査情報制御部１２は検査情報取得部１１に電気的に接続されており、検査情報制御部１２は、検査情報取得部１１から予約患者の検査手法と患者の言語情報Ｒを取得する。
【００２８】
検査・音声ガイダンス対応保管部１３は、予め参照テーブルＴ１を備えており、予め病院内で使用される検査手法とその検査手法が行われる際に適用される多国語対応の音声ガイダンスを保管して管理している。参照テーブルＴ１には、予め病院内で使用される検査名２０と音声ガイダンス言語２１が含まれている。
【００２９】
この検査名２０としては、参照テーブルＴ１に例示するように、検査手法（１）であるＭＲＡ（脳血管造影）や、検査手法（２）であるＦＭＲＩ（Ｆｕｎｃｔｉｏｎａｌ  Ｍａｇｎｅｔｉｃ  Ｒｅｓｏｎａｎｃｅ  Ｉｍａｇｉｎｇ）である。ＭＲＡは、ＭＲＩと同じ撮影装置により造影剤を用いずに脳血管を撮影することで血流だけの情報を画像化する検査である。ＦＭＲＩは、ＭＲＩを利用して脳やせき髄の活動に関連した血流動態反応を視覚化する検査である。音声ガイダンス言語２１は、参照テーブルＴ１に例示するように例えば英語、日本語、中国語である。
【００３０】
このように、検査・音声ガイダンス対応保管部１３では、この参照テーブルＴ１に示すように予め病院内で使用される検査手法とその際に適用される多国語対応の音声ガイダンスを保管して管理しておくが、この際には、検査・音声ガイダンス対応保管部１３上では、操作者により音声ガイダンスを入力して設定することもできる。また、検査手法を保険会社等のサーバから取得しても構わない。
【００３１】
また、図１に示す検査手法・音声ガイダンス手順保管部１４は、予め参照テーブルＴ２を備えている。この参照テーブルＴ２には、検査手法２２とその検査手法２２を実施するのに必要な音声ガイダンスを含む詳細な検査手順２３が含まれている。参照テーブルＴ２に例示するように、検査手法（１）は、すでに説明したＭＲＡであり、参照テーブルＴ２では、詳細な検査手順２３は、この検査手法（１）を実施するのに必要な手順（１）、手順（２）、音声ガイダンス（３）、手順（４）、音声ガイダンス（５）を含んでいる。
【００３２】
このように、図１に示す検査手法・音声ガイダンス手順保管部１４は、この参照テーブルＴ２に示すように、予め病院内で使用される検査手法とその検査手法を実施するのに必要な音声ガイダンスを含む詳細な検査手順を保管して管理しておく。
【００３３】
図１に示す検査情報制御部１２は、検査・音声ガイダンス対応保管部１３から検査手法と言語に対応する音声ガイダンスの情報Ｗを取得するとともに、検査情報制御部１２は、検査手法・音声ガイダンス手順保管部１４から検査手法とこの検査手法の中で行われる詳細な検査手順の情報Ｓを取得する。これにより、検査情報制御部１２は、患者の検査手法と患者の言語に対応する音声ガイダンスの情報Ｗ、および検査手法の中で行われる音声ガイダンスを含む詳細な検査手順の情報Ｖを、モダリティ１００に対して通知する。この詳細な検査手順の情報Ｖには、検査手法における音声ガイダンスを実施するためのタイミング等を記述することができる。
【００３４】
そこで、モダリティ１００は、患者・検査情報サーバ１の検査情報管理部分２から取得した予約検査情報Ｆを実施する際に、検査に対する詳細な検査手順の情報Ｖに記述されているタイミングに従って、患者に対して該当する音声ガイダンスを実施することができる。これにより、音声ガイダンス管理サーバ１０は、外国籍の患者に対応する音声ガイダンスをその患者が理解できる言語を用いて容易にしかも確実に行うことができ、検査作業の効率化を図ることができる。
【００３５】
次に、図１に示す実施形態１の音声ガイダンス管理サーバ１０の動作例を、図２を参照して説明する。図２は、図１の実施形態１の医用画像診断システムにおける音声ガイダンス管理サーバ１０の動作例を示している。
【００３６】
図２に示すように、例えば、予約の患者（被検体ともいう）Ｍが、患者Ｍの予約用の受付５０にある受付端末４０を用いてＲＩＳのような患者・検査情報サーバ１の検査情報管理部分２に対して、患者情報ＭＩと検査情報ＳＩを登録する。ＲＩＳで患者情報ＭＩと検査情報ＳＩを登録の際には、例えばＤＩＣＯＭ（医療画像情報システムの標準規格）等で患者Ｍの言語を登録することを想定している。患者情報ＭＩとしては、例えば患者Ｍの対応言語は英語であり、検査情報ＳＩとしては、例えば使用する装置はＭＲＩを使用し、検査手法（１）をＭＲＡとし、検査手法（２）はＦＭＲＩである。
【００３７】
図２と図１に示す音声ガイダンス管理サーバ１０の検査情報取得部１１は、患者・検査情報サーバ１の検査情報管理部分２に登録された患者情報ＭＩと検査情報ＳＩを、通信ネットワークＮ１を通じて取得する。すなわち、検査情報取得部１１は、予め決められたルール（時刻）ごとの自動的な操作、あるいは操作者の任意の操作によって登録された、例えば患者Ｍの対応言語（英語、言語情報）と患者Ｍの検査手法（１）を取得する。
【００３８】
一方、モダリティ１００は、患者・検査情報サーバ１の検査情報管理部分２に登録された患者情報ＭＩと検査情報ＳＩを、図１に示す予約検査情報Ｆとして、通信ネットワークＮ２を通じて取得する。
【００３９】
次に、図１に示すように、検査情報制御部１２は、検査情報取得部１１から患者Ｍの検査手法と患者Ｍの言語情報Ｒを取得する。検査情報制御部１２は、検査情報取得部１１からの患者Ｍの検査手法と患者Ｍの言語情報Ｒに基づいて、検査・音声ガイダンス対応保管部１３から検査手法と言語に対応する音声ガイダンスの情報Ｗを取得する。しかも、検査情報制御部１２は、検査情報取得部１１からの患者Ｍの検査手法と患者Ｍの言語情報Ｒに基づいて、検査手法・音声ガイダンス手順保管部１４から検査手法とこの検査手法の中で行われる詳細な検査手順の情報Ｓを取得する。
【００４０】
その後、検査情報制御部１２は、患者Ｍの検査手法と患者Ｍの言語情報に対応する音声ガイダンスの情報Ｗ、および検査手法の中で行われる音声ガイダンスを含む詳細な検査手順の情報Ｓを、検査・音声ガイダンス情報Ｖとしてモダリティ１００に通知する。図２に示す通知例としては、例えばＭＲ  ＦＭＲＩによる検査の場合には、日本語の「指先に刺激装置をつけます。多少痛く感じるかもしれません」という内容に対応する、英語の「Ｓｅｔｔｉｎｇ  ｕｐ  ｔｈｅ  ｓｏｍｅ  ｅｑｕｉｐｍｅｎｔ  ｏｎ  ｔｈｅ・・・」を通知する。また、ＭＲ  ＭＲＡによる検査の場合には、日本語の「頭部を動かさないでください」という内容に対応する、英語の「Ｐｌｅａｓｅ  ｋｅｅｐ  ｙｏｕｒ  ｈｅａｄ・・・」を通知する。
【００４１】
このように、予め音声ガイダンス管理サーバ１０の検査・音声ガイダンス対応保管部１３内に登録された検査手法と、この検査手法に対応する音声ガイダンスと、検査手法・音声ガイダンス手順保管部１４内に登録された検査手法と、この検査手法に対応する音声ガイダンスを含めた詳細な検査手順とを、検査・音声ガイダンス情報Ｖとしてモダリティ１００に通知する。このため、患者Ｍが理解できる言語（この例では英語）、図示例では英語しか話せない患者Ｍは、英語による音声ガイダンスを容易にかつ確実に受けることができ、検査手順で決められた順序とタイミングにより患者Ｍの音声ガイダンスを行うことができる。
【００４２】
モダリティ１００では、外国籍の患者Ｍは英語の音声ガイダンス内容を理解でき、患者Ｍを効率良く検査することができ、検査の効率化が図れる。また、イメージングセンター等において複数の同じモダリティを用いる場合であっても、同一の検査手順と同一の音声ガイダンスを効率よく実施することができる。
【００４３】
上述した例では、日本語を理解できない患者Ｍの使用言語を英語にしているが、特に限定されず、患者Ｍの使用言語は日本語であっても中国語であっても良い。患者Ｍの使用言語は日本語である場合とは、例えば米国内に医用画像診断装置が据え付けられた場合に、日本語しか理解できない日本人が検査を受けようとする場合に音声ガイダンスで使用する言語が日本語である。同様にして、患者Ｍの使用言語は中国語である場合とは、例えば米国内に医用画像診断装置が据え付けられた場合に、中国語しか理解できない中国人が検査を受けようとする場合に音声ガイダンスで使用する言語が中国語である。
【００４４】
以上のようにして、図１と図２に示す音声ガイダンス管理サーバ１０は、外国籍の患者Ｍに対応する音声ガイダンスをその患者Ｍが理解できる言語を用いて容易にしかも確実に行うことができ、検査作業の効率化を図ることができる。しかも、患者に対して検査手法を実施するのに必要な音声ガイダンスを含む検査手順をもガイダンスできるので、患者が検査手順を理解でき患者に対して検査を受ける時に安心感を与えることができる。
【００４５】
（実施形態２）
図３は、本発明の実施形態２を示している。
【００４６】
図３に示す実施形態２では、音声ガイダンス管理サーバ１０Ａが、図１に示す実施形態１の音声ガイダンス管理サーバ１０と異なるのは、図１に示す検査手法・音声ガイダンス手順保管部１４が除かれていることである。このため、音声ガイダンス管理サーバ１０Ａを構成している他の要素、すなわち図３に示す音声ガイダンス管理サーバ１０Ａの検査情報取得部１１と、検査情報制御部１２と、検査・音声ガイダンス対応保管部１３は、図１に示す音声ガイダンス管理サーバ１０の検査情報取得部１１と、検査情報制御部１２と、検査・音声ガイダンス対応保管部１３と実質的に同じであるので、同じ符号を記して説明を用いることにする。
【００４７】
図３に示す検査情報制御部１２は、検査情報取得部１１からの患者Ｍの検査手法と患者Ｍの言語情報Ｒに基づいて、検査・音声ガイダンス対応保管部１３から検査手法と患者の言語に対応する音声ガイダンスの情報Ｗを取得する。これにより、検査情報制御部１２は、患者の検査手法と患者の言語に対応する音声ガイダンスの情報Ｗを、検査・音声ガイダンス情報Ｖ１としてモダリティ１００に通知する。この検査・音声ガイダンス情報Ｖ１には、検査手法における音声ガイダンスを実施するためのタイミング等を記述することができる。
【００４８】
そこで、モダリティ１００は、患者・検査情報サーバ１の検査情報管理部分２から取得した予約検査情報Ｆを実施する際に、患者に対して該当する言語の音声ガイダンスを実施することができる。これにより、外国籍の患者に対応する音声ガイダンスを容易にしかも確実に行うことができ、検査作業の効率化を図ることができる。
【００４９】
以上のようにして、音声ガイダンス管理サーバ１０Ａは、外国籍の患者Ｍに対応する音声ガイダンスをその患者Ｍが理解できる言語を用いて容易にしかも確実に行うことができ、検査作業の効率化を図ることができる。
【００５０】
（実施形態３）
図４は、本発明の実施形態３を示している。
【００５１】
図４に示す実施形態３では、音声ガイダンス管理サーバ１０がモダリティ１００の中に配置されている例を示している。これに対して、図１と図２に示す実施形態１では、音声ガイダンス管理サーバ１０がモダリティ１００とは別になるように、モダリティ１００の外部に配置され、音声ガイダンス管理サーバ１０がモダリティ１００とはネットワークＮ３により接続されている。
【００５２】
図４に示すように、音声ガイダンス管理サーバ１０がモダリティ１００の中に配置されているが、音声ガイダンス管理サーバ１０を構成している要素、すなわち図４に示す音声ガイダンス管理サーバ１０の検査情報取得部１１と、検査情報制御部１２と、検査・音声ガイダンス対応保管部１３と、検査手法・音声ガイダンス手順保管部１４は、図１に示す音声ガイダンス管理サーバ１０の検査情報取得部１１と、検査情報制御部１２と、検査・音声ガイダンス対応保管部１３と、検査手法・音声ガイダンス手順保管部１４と実質的に同じであるので、同じ符号を記して説明を用いることにする。
【００５３】
図４の例では、患者・検査情報サーバ１の検査情報管理部分２は、モダリティ１００の制御部１０１に対してネットワークＮ２を通じて、予約患者の予約検査情報Ｆを送るようになっている。また、検査情報制御部１２は、検査情報取得部１１から患者Ｍの検査手法と患者Ｍの言語情報Ｒを取得する。検査情報制御部１２は、検査情報取得部１１からの患者Ｍの検査手法と患者Ｍの言語情報Ｒに基づいて、検査・音声ガイダンス対応保管部１３から検査手法と言語に対応する音声ガイダンスの情報Ｗを取得する。しかも、検査情報制御部１２は、検査情報取得部１１からの患者Ｍの検査手法と患者Ｍの言語情報Ｒに基づいて、検査手法・音声ガイダンス手順保管部１４から検査手法とこの検査手法の中で行われる詳細な検査手順の情報Ｓを取得する。
【００５４】
その後、検査情報制御部１２は、患者Ｍの検査手法と患者Ｍの言語情報に対応する音声ガイダンスの情報Ｗ、および検査手法の中で行われる音声ガイダンスを含む詳細な検査手順の情報Ｓを、検査・音声ガイダンス情報Ｖとしてモダリティ１００の制御部１０１に通知する。
【００５５】
以上のようにして、音声ガイダンス管理サーバ１０は、外国籍の患者Ｍに対応する音声ガイダンスをその患者Ｍが理解できる言語を用いて容易にしかも確実に行うことができ、検査作業の効率化を図ることができる。しかも、患者に対して検査手法を実施するのに必要な音声ガイダンスを含む検査手順をもガイダンスできるので、患者が検査手順を理解でき患者に対して検査を受ける時に安心感を与えることができる。
【００５６】
（実施形態４）
図５は、本発明の実施形態４を示している。
【００５７】
図５では、音声ガイダンス管理サーバ１０Ａがモダリティ１００の中に配置されている例を示している。これに対して、図３に示す実施形態２では、音声ガイダンス管理サーバ１０Ａがモダリティ１００の外部に配置され、音声ガイダンス管理サーバ１０がモダリティ１００とはネットワークＮ３により接続されている。
【００５８】
図５に示すように、音声ガイダンス管理サーバ１０Ａがモダリティ１００の中に配置されているが、音声ガイダンス管理サーバ１０を構成している要素、すなわち図５に示す音声ガイダンス管理サーバ１０の検査情報取得部１１と、検査情報制御部１２と、検査・音声ガイダンス対応保管部１３は、図３に示す音声ガイダンス管理サーバ１０Ａの検査情報取得部１１と、検査情報制御部１２と、検査・音声ガイダンス対応保管部１３と実質的に同じであるので、同じ符号を記して説明を用いることにする。
【００５９】
図５に示す検査情報制御部１２は、検査情報取得部１１からの患者Ｍの検査手法と患者Ｍの言語情報Ｒに基づいて、検査・音声ガイダンス対応保管部１３から検査手法と言語に対応する音声ガイダンスの情報Ｗを取得する。これにより、検査情報制御部１２は、患者の検査手法と患者の言語に対応する音声ガイダンスの情報を、検査・音声ガイダンス情報Ｖ１としてモダリティ１００の制御部１０１に通知する。この検査・音声ガイダンス情報Ｖ１には、検査手法における音声ガイダンスを実施するためのタイミング等を記述することができる。
【００６０】
そこで、モダリティ１００の制御部１０１は、患者・検査情報サーバ１の検査情報管理部分２から取得した予約検査情報Ｆを実施する際に、患者に対して該当する音声ガイダンスを実施することができる。これにより、外国籍の患者に対応する音声ガイダンスを容易にしかも確実に行うことができ、検査作業の効率化を図ることができる。
【００６１】
以上のようにして、音声ガイダンス管理サーバ１０Ａは、外国籍の患者Ｍに対応する音声ガイダンスをその患者Ｍが理解できる言語を用いて容易にしかも確実に行うことができ、検査作業の効率化を図ることができる。
【００６２】
本発明では、モダリティ側で患者の検査を実施する際に、検査手法と患者の理解できる言語をキーにして、音声ガイダンス管理サーバ１０から患者の理解できる言語の音声ガイダンスをモダリティに取得させて、患者への音声ガイダンスとして使うことができる。これにより、次のようなメリットがある。
【００６３】
モダリティ側では、音声ガイダンスを検査手法と言語に応じて個別に用意する必要が無くなり、管理コストが下げることができる。
【００６４】
また、従来では、イメージング（画像）センターにおいて複数のベンダーの同一種類のモダリティ、例えば複数のベンダーのＸ線ＣＴ装置が用意されていて、複数のベンダーのＸ線ＣＴ装置が運用されている場合には、検査手法が同じであっても音声ガイダンスが異なるために、患者に対して検査に対する不安感を与えることもある。しかし、本発明の実施形態を用いることで、イメージングセンター等において複数のベンダー製の同じ種類のモダリティを用いて検査を実施する場合には、病院内で音声ガイダンスの内容、音声ガイダンスを実施するタイミングを統一することができる。これにより、効率の良い検査Ｓを実施することができるとともに、患者に対して安心感を与えることができる。
【００６５】
新しい検査手法がベンダーや保険会社、学会等から提供された場合には、検査手法とともに音声ガイダンスも同時に提供されることにより、いち早く新しい検査手法を患者に提供することができるとともに、導入コストを下げることができることが見込まれる。
【００６６】
本発明は上記実施形態に限定されない。
【００６７】
本発明の各実施形態において、図に示す患者・検査情報サーバ１は、上述したＲＩＳに限定されない。
【００６８】
本発明の各実施形態において、検査情報取得部、検査情報制御部、検査・音声ガイダンス対応保管部、検査手法・音声ガイダンス手順保管部の各要素は、音声ガイダンス管理サーバ内に個別に存在しても構わないし、個別ではなく同じでも構わない。
【００６９】
さらに、本発明の実施の形態に開示されている複数の構成要素を適宜組み合わせることにより種々の発明を形成できる。例えば、本発明の実施の形態に示される全構成要素から幾つかの構成要素を削除してもよい。更に、異なる実施の形態に亘る構成要素を適宜組み合わせてもよい。
【符号の説明】
【００７０】
１・・・患者・検査情報サーバ、２・・・検査情報管理部分、１０・・・音声ガイダンス管理サーバ、１１・・・検査情報取得部、１２・・・検査情報制御部１２、１３・・・検査・音声ガイダンス対応保管部、１４・・・検査手法・音声ガイダンス手順保管部、２０・・・検査名、２１・・・音声ガイダンス言語、２２・・・検査手法、２３・・・詳細な検査手順、Ｖ・・・詳細な検査手順の情報、１００・・・モダリティ（医用画像診断装置）、１００Ａ・・・モダリティ，Ｎ１〜Ｎ３・・・通信ネットワーク、Ｔ１、Ｔ２・・・参照テーブル
【図１】
2011022740.tif 000003
【図２】
2011022740.tif 000004
【図３】
2011022740.tif 000005
【図４】
2011022740.tif 000006
【図５】
2011022740.tif 000007